(57)【特許請求の範囲】
【請求項１】
開き戸の扉本体の下端部の巾方向に沿って設けられ、扉本体と床面との隙間内に設置される曲面丸型突出部材を設けた指詰め防止装置で、前記曲面丸型突出部材の内側に有する押し出し力付勢部材によって外側に向けて付勢されており、前方あるいは後方から受ける押圧に抗して決められた範囲内で、進退自在に可動し、その曲面丸型突出部材は、中央部の突起部分とその両端部の縁部分にて左右対称に構成され、その突起部分のそれぞれの曲面は、その曲面の反対側の縁部分の外側の端部を中心点とする円弧とし、その２つの曲面が交わる突起部分の先端部には丸みを設け、前方あるいは後方から受ける押圧に抗して、押圧点が前記突起部分の曲面に接触すると、最初は、その曲面側の縁部分の外側の端部を中心点とする回転運動を行なうが、その後、押圧点が突起部分の先端部を越えると、上下運動に変化するようになしたことを特徴とする指詰め防止装置。
【請求項２】
自由扉や回転扉又は引戸の扉本体の木口竪方向に沿って設けられ、扉本体と枠体又は扉本体どうしの間に設置される曲面丸型突起部材を設けた指詰め防止装置で、前記曲面丸型突出部材の内側に有する押し出し力付勢部材によって外側に向けて付勢されており、前方あるいは後方から受ける押圧に抗して決められた範囲内で、進退自在に可動し、その曲面丸型突出部材は、中央部の突起部分とその両端部の縁部分にて左右対称に構成され、その突起部分のそれぞれの曲面は、その曲面の反対側の縁部分の外側の端部を中心点とする円弧とし、その２つの曲面が交わる突起部分の先端部には丸みを設け、前方あるいは後方から受ける押圧に抗して、押圧点が前記突起部分の曲面に接触すると、最初は、その曲面側の縁部分の外側の端部を中心点とする回転運動を行なうが、その後、押圧点が突起部分の先端部を越えると、先後運動に変化するようになしたことを特徴とする指詰め防止装置。
【請求項３】
自由扉や回転扉又は引戸の枠体の竪方向に沿って設けられ、扉本体と枠体との間に設置される曲面丸型突出部材を設けた指詰め防止装置で、前記曲面丸型突出部材の内側に有する押し出し力付勢部材によって外側に向けて付勢されており、前方あるいは後方から受ける押圧に抗して決められた範囲内で、進退自在に可動し、その曲面丸型突出部材は、中央部の突起部分とその両端部の縁部分にて左右対称に構成され、その突起部分のそれぞれの曲面は、その曲面の反対側の縁部分の外側の端部を中心点のする円弧とし、その２つの曲面が交わる突起部分の先端部には丸みを設け、前方あるいは後方から受ける押圧に抗して、押圧点が前記突起部分の曲面に接触すると、最初は、その曲面側の縁部分の外側の端部を中心点とする回転運動を行なうが、その後、押圧点が突起部分の先端部を越えると、先後運動に変化するようになしたことを特徴とする指詰め防止装置。
【請求項４】
請求項１〜請求項３の何れか１の請求項に記載の指詰め防止装置を、扉本体又は枠体に設けることを特徴とする建具システム。
【発明の詳細な説明】
【技術分野】
【０００１】  本発明は、開き戸又は引戸の開閉動作時に、扉と床面又は扉と枠体との間での指詰めする危険性を排除した指詰め防止装置に関するものである。
【背景技術】
【０００２】  従来の開き戸の下端部は、施工方法、扉材や床材の温度・湿度変化に伴う歪みや変形、経年変化に伴う開閉動作の支障を防止する目的で、扉下端部と床面との間に５〜１５ｍｍの隙間を有した状態で取付けられており、そこに幼児が指詰めする危険性の問題点があった。【０００３】  例えば、特許文献１に記載の安全ドアでは、本出願に図１４として示すようにドア本体１０５の下端部の両側に、渦巻きバネ１２３が組み込まれて外向きに付勢されたバネ蝶番１２２により蝶着された薄板１０９によって構成されており（段落〔００２０〕）、薄板１０９が子供の足の指先１２４に当たる際に、指先を柔らかく押し戻して、隙間に挟まれることを未然に防止でき、小さな子供に対しても指詰めの危険を優しく排除できる（段落〔００２１〕）、とあります。【０００４】  特許文献１には、ドア本体１０５及び薄板１０９の厚み寸法の記載はありませんが、一般的にはドア本体１０５の厚みは３０〜４０ｍｍ、薄板１０９の厚みは５〜１０ｍｍと考えられます。
そうであるならば、薄板１０９の下端部は、内側に２０ｍｍ前後移動したところで、反対側の薄板１０９の内側に当たりますので、特許文献１の記載にあるような、指先を柔らかく押し戻すのに必要な距離が足りないと思われます。
バネ蝶番１２２の渦巻きバネ１２３が強すぎれば、柔らかく押し戻すことにはならないし、渦巻きバネ１２３が弱ければ、いきなり反対側の薄板１０９に、突き当たる感じになると思われます。
本出願に図１４として示すように、ドア本体１０５の厚みが小さな子供の足長寸法の６０％の大きさに作図されておりますので、足長寸法が１０ｃｍの子供であれば、ドア本体１０５の厚みは６ｃｍとなります。
丸善の第２版コンパクト建築設計資料集成（日本建築学会編）によれば、７才の子供の足長寸法は１８ｃｍとありますので、ドア本体１０５の厚みは１０、８ｃｍということりなります。
本出願に示されている図１４では、一見、納まっているような錯覚におちいりそうですが、特許文献１の記載にあるような効果は得られないものと思われます。
【先行技術文献】
【０００５】
【特許文献１】  特開２００７−２０４９４５号公報。
【発明の開示】
【発明が解決しようとする課題】
【０００６】  従来は、扉下端部と床面との間、又は扉の竪木口と枠体との間で指詰めの危険性の問題点があった。
そこで、指詰めの危険性を排除できる指詰め防止装置を提供することを目的とする。
【問題を解決するための手段】
【０００７】  本発明は、上記の問題を解決するためになされるもので、請求項１に記載の指詰め防止装置は、開き戸の扉本体の下端部の巾方向に沿って設けられ、扉本体と床面との隙間内に設置される曲面丸型突出部材を設けた指詰め防止装置で、前記曲面丸型突出部材の内側に有する押し出し力付勢部材によって外側に向けて付勢されており、前方あるいは後方から受ける押圧に抗して決められた範囲内で、進退自在に可動し、その曲面丸型突出部材は、中央部の突起部分とその両端部の縁部分にて左右対称に構成され、その突起部分のそれぞれの曲面は、その曲面の反対側の縁部分の外側の端部を中心点とする円弧とし、その２つの曲面が交わる突起部分の先端部には丸みを設け、前方あるいは後方から受ける押圧に抗して、押圧点が前記突起部分の曲面に接触すると、最初は、その曲面側の縁部分の外側の端部を中心点とする回転運動を行なうが、その後、押圧点が突起部分の先端部を越えると、上下運動に変化するようになしたことを特徴とする指詰め防止装置を提供することである。
【発明の効果】
【０００８】  本発明によって、開き戸の扉本体の下端部と床面との間、開き戸又は引戸の扉の竪木口と枠体との間における、開閉動作時の指詰めを防止することができる。
【発明を実施するための形態】
【０００９】  本発明の第１の形態を、図１と図５を参照して説明する。
本形態は請求項１に記載の開き戸の形態で、ケースタイプ指詰め防止装置１ａとして、曲面丸型突出部材２ａと外ケース１ｃ、内ケース１ｄから構成されており、その内ケース１ｄには押し出し力付勢部材３が固着されている。
取付方法は、まず、扉木口４ａに押し出し力付勢部材３が固着されている内ケース１ｄを取付け、曲面丸型突出部材２ａと外ケース１ｃを被せて、外ケース１ｃの側面よりネジ穴７ａにネジ７にて固着する。
開き戸において、前方あるいは後方から受ける押圧に抗して、進退自在に可動する曲面丸型突出部材２ａの可動方法やその考え方、可動状況については、段落［００１３］と［００１４］、図１３と図１０〜１２に示している。
曲面丸型突出部材２ａの所定の可動範囲は、突起部分２ｄと縁部分２ｅ、それと、外ケース１ｃや扉木口４ａの両端にあるストッパー部分１ｅとの関係によって決められている。
曲面丸型突出部材２ａは、突起部分２ｄと縁部分２ｅから構成されている。押し出し力付勢部材３は、内ケース１ｄや付勢部材取付け板３ａに固着した作図であるが、突起部分２ｄの内側に固着することもできる。
曲面丸型突出部材２ａや、外ケース１ｃや内ケース１ｄは、金属板を折り曲げての形成や、プラスチックやアルミニウムの押し出し成形材を使用することができ、表面仕上も、生地仕上や塗装仕上、又は、化粧シート貼と、扉面４ｂと同一に仕上げる方法や、また、あえて変えることにより、アクセントとしたり、デザインに応用することができる。
外ケース１ｃの外寸法は、扉本体４の厚み寸法と同一にして、扉面４ｂと略面一にすることを基本としますが、必ずしもこだわる必要はない。
また、本形態のケースタイプ指詰め防止装置１ａは、既設の扉本体に対しても簡易な改造で取付けることができ、ＤＩＹ作業にても可能である。
【００１０】  本発明の第２の形態を、図２と図６を参照して説明する。
本形態は請求項１に記載の開き戸の形態で、扉組み込みタイプ指詰め防止装置１ｂとして、ストッパー部分１ｅを設けた扉本体４と、曲面丸型突出部材２ａ、押し出し力付勢部材３が固着されている付勢部材取付け板３ａから構成されており、扉本体４と一体になった形態である。
取付方法は、まず、押し出し力付勢部材３が固着されている付勢部材取付け板３ａと曲面丸型突出部材２ａを合せて、扉木口４ａ側より挿入し、エンドキャップ（図示せず）を設置する。
作用や効果は、前段落の記載と同じである。
【００１２】  本発明の第４の形態を、図４と図９を参照して説明する。
本形態は請求項３に記載の開き戸の形態で、ケースタイプ指詰め防止装置１ａとして、曲面丸型突出部材２ａと、外ケース１ｃと内ケース１ｄから構成されており、その内ケース１ｄには押し出し力付勢部材３が固着されている。
取付方法は、まず、枠体５の予め溝决りされた位置に、押し出し力付勢部材３が固着されている内ケース１ｄを取付け、曲面丸型突出部材２ａと外ケース１ｃを被せて、外ケース１ｃの正面ストッパー部分１ｅにあるネジ穴７ａにネジ７にて固着する。
図４、図９とも、押し出し力付勢部材３を円錐型コイル押バネにて作図をしているが、もちろん、他の部材でも可能である。
【００１３】  ここで、基本となる曲面丸型突出部材２ａの突起部分２ｄと縁部分２ｅの形状、寸法の関係について、図１３の模式断面図を参照して説明する。
仮に、突起部分２ｄと縁部分２ｅの交点をＰ、縁部分２ｅの外側の端部をＯ、突起部分２ｄの巾であるＰ点−Ｐ点間の寸法をＢ、片側の縁部分２ｅの巾であるＯ点−Ｐ点間の寸法をＤとして、Ｂ寸法とＤ寸法を合計した寸法をｒ１とする。このｒ１を突起部分２ｄの曲面の外側の半径の寸法とする。また、２つの曲面が交わる先端部にはｒ２の半径を有する丸みを設ける。
断面形状は左右対称であり、突起部分２ｄのそれぞれの曲面を、その曲面の反対側の縁部分２ｅの外側の端部Ｏ点を中心点とする半径ｒ１の円弧にすることにより、前方あるいは後方、どちらの方向からの押圧に対しても、押圧点が突起部分２ｄの曲面部分に接触すると、最初は、その曲面側の縁部分２ｅの外側の端部Ｏ点を中心点とした回転運動を行なうが、その後、押圧点が突起部分２ｄの曲面の先端部を越えると、上下運動に変化する。
また、突起部分２ｄの先端部に丸みを設けているので、回転運動から上下運動へも滑らかな動きで変化することができ、安全で優しく指先に触れることができる。
尚、外ケース１ｃや扉木口４ａの両端にあるストッパー部分１ｅの間の内法寸法は、前記Ｂ寸法を越え、ｒ１寸法未満とする。
【００１４】  次に、図１の形態の曲面丸型突出部材２ａの可動状況を、図１０〜図１２を参照して説明する。
図１０は、幼児の足９ａの指先が、曲面丸型突出部材２ａの曲面部分に触れた瞬間に、その曲面側の縁部分２ｅの外側の端部（Ｏ点）を中心点とした回転運動を行なうことを示している。
次には、図１１に示すように、幼児の足９ａの指先が突起部分２ｄの先端部に到達するまでは、曲面丸型突出部材２ａは回転運動を続けているが、幼児の足９ａの指先が突起部分２ｄの先端部を越えると、図１２に示すような上下運動に変化する。
ここに至るまでに、幼児は危険を察知することができ、反射的に足を引っ込めるか、又は、手を当てるなどの扉を止める動きをすると思われる。
あるいは、扉の開閉動作をしている者が、何らかの異常性を察知し、開閉動作を停止するので、指詰めを防止することができる。
尚、図１０〜図１２は、幼児の足長寸法を１２ｃｍとした縮尺で作図をしており、押し出し力付勢部材３は省略している。
【００１５】  本発明における開き戸とは、片開き戸だけでなく、両開き戸や親子開き戸、自由開き戸や回転扉も含まれ、同じく引戸とは、引違い戸だけでなく、片引戸や引分け戸や引込戸も含まれ、出入口の扉だけでなく、窓にも取付可能である。
また、戸先側だけでなく、吊元側の扉の木口や枠体に取付けることも可能である。
【図面の簡単な説明】
【００１６】
【図１】  本発明の請求項１に記載の開き戸の形態で、ケースタイプの垂直断面図である。
【図２】  本発明の請求項１に記載の開き戸の形態で、扉組み込みタイプの垂直断面図である。
【図３】  本発明の請求項２に記載の引戸の形態で、扉組み込みタイプの水平断面図である。
【図４】  本発明の請求項３に記載の開き戸の形態で、ケースタイプの水平断面図である。
【図５】  図１の形態の分解斜視図である。
【図６】  図２の形態の分解斜視図である。
【図７】  図３の形態の分解斜視図である。
【図８】  図３の形態の正面図である。
【図９】  図４の形態の分解斜視図である。
【図１０】  突出部材の可動状況を説明するための垂直断面図である。
【図１１】  突出部材の可動状況を説明するための垂直断面図である。
【図１２】  突出部材の可動状況を説明するための垂直断面図である。
【図１３】  本発明の曲面丸型突出部材の形状、寸法の関係を説明するための模式断面図である。
【図１４】  特許文献１の安全ドアを示す垂直断面図である。
【符号の説明】
【００１７】１        指詰め防止装置
１ａ      ケースタイプ指詰め防止装置
１ｂ      扉組み込みタイプ指詰め防止装置
１ｃ      外ケース
１ｄ      内ケース
１ｅ      ストッパー部分
２        突出部材
２ａ      曲面丸型突出部材
２ｂ      平面角型突出部材
２ｃ      固定突出部材
２ｄ      突起部分
２ｅ      縁部分
２ｆ      戸当りゴム
３        押し出し力付勢部材
３ａ      付勢部材取付け板
４        扉本体
４ａ      扉木口
４ｂ      扉面
４ｃ      ｕ字部材
５        枠体
６        床面
７        ネジ
７ａ      ネジ穴
７ｂ      タップを立てたネジ穴
８        回転方向
８ａ      移動方向
９        幼児の手の指先
９ａ      幼児の足
１０１    特許文献１の安全ドア
１０５    特許文献１のドア本体
１０６    特許文献１の床面
１０７    特許文献１の封止手段
１０８    特許文献１の可動部
１０９    特許文献１の薄板
１２２    特許文献１の蝶番
１２３    特許文献１の渦巻きバネ
１２４    特許文献１の子供の足の指先
【要約】
【課題】  開き戸又は引戸の開閉動作時に、扉と床面又は扉と枠体との間での指詰めする危険性を排除できる指詰め防止装置を提供する。
【解決手段】  扉と床面又は扉と枠体との隙間内に、前方あるいは後方から受ける押圧に抗して、決められた所定の範囲内で進退自在に可動する突出部材を設けることを特徴とする。
【選択図】図１【図１】
0004778109.tif 000002
【図２】
0004778109.tif 000003
【図３】
0004778109.tif 000004
【図４】
0004778109.tif 000005
【図５】
0004778109.tif 000006
【図６】
0004778109.tif 000007
【図７】
0004778109.tif 000008
【図８】
0004778109.tif 000009
【図９】
0004778109.tif 000010
【図１０】
0004778109.tif 000011
【図１１】
0004778109.tif 000012
【図１２】
0004778109.tif 000013
【図１３】
0004778109.tif 000014
【図１４】
0004778109.tif 000015